(57)【要約】【課題】  使用中にバンドが緩むのを確実に阻止できるようにしたバンド締結具を提供することを目的とする。【解決手段】  前後両側に一対のバンド差込孔２、３が所定の間隔を置いて対向配設された締結具本体１を備え、この締結具本体１の前部側のバンド差込孔２の前側下縁と後部側のバンド差込孔３の後側下縁に、バンド１１の長手方向に亘って複数設けられた係止突起１４が係合するようストッパー部４、５がそれぞれ設けられて成る。【選択図】          図６
2006122437.tif 000002
【特許請求の範囲】
【請求項１】
前後両側に一対のバンド差込孔が所定の間隔を置いて対向配設された締結具本体を備え、この締結具本体の前部側のバンド差込孔の前側下縁と後部側のバンド差込孔の後側下縁に、バンドの長手方向に亘って複数設けられた係止突起が係合するようストッパー部がそれぞれ設けられていることを特徴とするバンド締結具。
【請求項２】
前記ストッパー部はそれぞれ爪部材にて形成されていることを特徴とする請求項１記載のバンド締結具。
【発明の詳細な説明】
【技術分野】
【０００１】
本発明は、バンド締結時の緩みを阻止できるようにストッパー機構が設けられたバンド締結具に関する。
【背景技術】
【０００２】
従来、この種のバンド締結具は、図５および図６に例示したように、前後両側に一対のバンド差込孔１０１、１０２が所定の間隔を置いて対向配設された締結具本体１００を備えている。
【０００３】
そして、この締結具本体１００の下側中央には凹部１０３が形成されており、該凹部１０３中央に横設された支軸１０４に可撓性のバンド１０５の端部が回動自在に枢着されている。
【０００４】
また、他方の可撓性のバンド１０６の上面には、複数の横長状の係止突起１０７が長手方向に亘って定間隔で形成されている。
【特許文献１】特になし
【発明の開示】
【発明が解決しようとする課題】
【０００５】
しかしながら、前記した従来のバンド締結具は、その締結具本体１００の前後両側に設けられているバンド差込孔１０１、１０２の内周面全体がいずれも平滑に形成されているため、図６に示したように、手首等に装着するため、可動性のバンド１０６先端をバンド差込孔１０１、１０２内に順次差し込んで締め付けた場合、当該バンド１０６が引っ張られるため、バンド１０６の上面に設けられた各係止突起１０７がバンド差込孔１０１、１０２の内周面を滑り易い。
【０００６】
すなわち、各係止突起１０７とバンド差込孔１０１、１０２の縁部同志の噛合力が弱いため使用中にバンドがだんだんと緩んでしまうおそれがある。
【０００７】
そこで、本発明は、前記したような従来技術が有する問題点を解消するもので、締結具本体に設けた一対のバンド差込孔のいずれにもバンドに設けられた多数の係止突起が係合するストッパー部を設けることによって、使用中にバンドが緩むのを確実に阻止できるようにしたバンド締結具を提供することを目的とする。
【課題を解決するための手段】
【０００８】
上記した課題を解決するため、本発明にあっては、請求項１では、前後両側に一対のバンド差込孔が所定の間隔を置いて対向配設された締結具本体を備え、この締結具本体の前部側のバンド差込孔の前側下縁と後部側のバンド差込孔の後側下縁に、バンドの長手方向に亘って複数設けられた係止突起が係合するようストッパー部がそれぞれ設けられていることを特徴とする。
【０００９】
また、請求項２では、前記ストッパー部はそれぞれ爪部材にて形成されていることを特徴とする。
【発明の効果】
【００１０】
本発明は、以上のとおり構成されるものであるから、締結具本体の前後両側に設けられた一対のバンド差込孔内に、上面に複数間隔を置いて設けられた係止突起を有するバンドを挿入した際に、当該各係止突起に係合するストッパー部がそれぞれ設けられているので、互いの噛合力が強く手首等に装着中にバンドが緩むおそれがない。
したがって、装着中にバンドが不用意に離脱するのを阻止することができるものである。
【発明を実施するための最良の形態】
【００１１】
以下、図面を参照して本発明を実施するための最良の一形態を説明すると、図において示される符号１は、合成樹脂材よりなる締結具本体であって、前後両側に一対のバンド差込孔２、３が上下に貫通して所定の間隔を置いて対向配設されている。
【００１２】
前部側のバンド差込孔２の前側下縁と後部側のバンド差込孔３の後側下縁には、後述するバンドの係止突起が係合するようストッパー部４、５がそれぞれ設けられている。
【００１３】
バンド差込孔２のストッパー部４は、横向きに突起する爪部材４ａにて形成されており、バンド差込孔３のストッパー部５は、下向きに突起する爪部材５ａにて形成されている。
【００１４】
尚、締結具本体１における前部側のバンド差込孔２は、後述するバンドと略同一横幅を有し、かつバンドの厚みに近い縦幅を備えた幅狭矩形状に形成されており、一方、後部側のバンド差込孔３は、前部側のバンド差込孔２と同一横幅を有し、かつ前部側のバンド差込孔２より広い縦幅を備えた幅広矩形状に形成されている。
【００１５】
また、締結具本体１の中央には凹部６が形成されており、該凹部６の両側には軸受板７、７が一体に垂設されている。そして、この軸受板７、７間には支軸８が横設軸支され、該支軸８に可撓性のバンド９の端部が回動自在に枢着されている。
【００１６】
バンド９の他端は図１および図２に示したように、合成樹脂材からなるキーイングタグホルダー１０が装着されており、キーイングタグホルダー１０の他端に可撓性を有する他方のバンド１１が装着されている。このキーイングタグホルダー１０には棒状のＩＣタグが内蔵されており、上面にキー１２が収容される収容部１３が形成されている。因みに、このキーイングタグホルダー１０は、スポーツセンター、ヘルスセンター、日帰り温泉施設等の不特定多数の者が利用する施設への利用者の入退館を管理して精算処理などを行うために使用される。
【００１７】
バンド１１の上面には、複数の横長状の係止突起１４が長手方向に亘って定間隔で形成されている。
【００１８】
次に、本発明の使用方法について説明すると、手首にキーイングタグホルダー１０の背面を当てがい、バンド９、１１を手首の廻りに廻し込んでからバンド１１先端を締結具本体１の前部側のバンド差込孔２内へ下方より挿入したのうち、更にその先端を後部側のバンド差込孔３内へ上方より挿入する。
【００１９】
そして、この挿入後、バンド１１先端をバンド９、１１が手首廻りに密着するまで引っ張って離せば、図４に詳記したように、バンド１１の上面に形成された複数の係止突起１４が各バンド差込孔２、３にそれぞれ設けられたストッパー部４、５に係止されて装着中のバンド９、１１の緩みが阻止される。
【００２０】
尚、本発明のバンド締結具は前記した実施形態で示すキーイングタグホルダーに用いられるものだけではなく、例えば時計、ベルト、カバン等々あらゆる用途に使用可能である。
【図面の簡単な説明】
【００２１】
【図１】バンド締結具の使用状態の一例を示す説明図で、（ａ）はその正面図、（ｂ）はその背面図である。
【図２】バンド締結具を示す正面図である。
【図３】図２のＡ−Ａ線矢視断面図である。
【図４】バンド締結具の使用状態の要部を示す正面図である。
【図５】図４のＢ−Ｂ線矢視断面図である。
【図６】従来のバンド締結具の使用状態の要部を示す正面図である。
【図７】図６のＣ−Ｃ線矢視断面図をである。
【符号の説明】
【００２２】
１    締結具本体
２    バンド差込孔
３    バンド差込孔
４    ストッパー部
４ａ  爪部材
５    ストッパー部
５ａ  爪部材
９    バンド
１１  バンド
１４  係止突起
【図１】
2006122437.tif 000003
【図２】
2006122437.tif 000004
【図３】
2006122437.tif 000005
【図４】
2006122437.tif 000006
【図５】
2006122437.tif 000007
【図６】
2006122437.tif 000008
【図７】
2006122437.tif 000009